(57)【要約】【課題】本発明の目的は、多様な表示項目を表示しつつ特定の表示項目を認識し易くする加熱調理器を提供することである。【解決手段】本発明に係る加熱調理器は、被加熱物７を加熱する加熱部と、加熱部の動作を指定する入力操作を受け付ける操作部４と、操作部４への入力操作に対応した操作系情報を含む注意喚起情報を予め記憶している記憶部と、注意喚起情報が表示される注意表示部１０と、操作部４への入力操作が行われた場合に加熱部を制御するとともに当該入力操作に対応した操作系情報を注意表示部１０に表示させる制御部と、を備え、記憶部に記憶されている操作系情報は、それぞれに重みが付けられた複数の表示項目を含み、制御部は、操作系情報を注意表示部１０に表示させる際に、当該操作系情報に含まれる表示項目の重みに基づいて特定の表示項目を強調するものである。【選択図】図１
2015232926.tif 000002
【特許請求の範囲】
【請求項１】
被加熱物を加熱する加熱部と、
前記加熱部の動作を指定する入力操作を受け付ける操作部と、
前記操作部への入力操作に対応した操作系情報を含む注意喚起情報を予め記憶している記憶部と、
前記注意喚起情報が表示される注意表示部と、
前記操作部への入力操作が行われた場合に前記加熱部を制御するとともに当該入力操作に対応した操作系情報を前記注意表示部に表示させる制御部と、
を備え、
前記記憶部に記憶されている操作系情報は、それぞれに重みが付けられた複数の表示項目を含み、
前記制御部は、操作系情報を前記注意表示部に表示させる際に、当該操作系情報に含まれる表示項目の重みに基づいて特定の表示項目を強調する加熱調理器。
【請求項２】
前記制御部は、操作系情報を前記注意表示部に表示させる際に、当該操作系情報に含まれる表示項目の重みに基づいて、重みの低い表示項目よりも先に重みの高い表示項目を表示させる請求項１に記載の加熱調理器。
【請求項３】
前記制御部は、操作系情報を前記注意表示部に表示させる際に、当該操作系情報に含まれる表示項目の重みに基づいて、重みの低い表示項目を表示させる頻度よりも重みの高い表示項目を表示させる頻度を高くする請求項１又は２に記載の加熱調理器。
【請求項４】
前記制御部は、操作系情報を前記注意表示部に表示させる際に、当該操作系情報に含まれる表示項目の重みに基づいて、重みの低い表示項目の表示の継続時間よりも重みの高い表示項目の表示の継続時間を長くする請求項１から３のいずれか１項に記載の加熱調理器。
【請求項５】
前記記憶部は、同一の入力操作に対応した操作系情報として、
複数の表示項目を含む第１操作系情報と、
当該複数の表示項目を含む第２操作系情報と、
を記憶しており、
当該複数の表示項目のうち少なくとも１つは、前記第１操作系情報に含まれるものと前記第２操作系情報に含まれるものとで重みが異なり、
前記制御部は、前記注意表示部に表示させる操作系情報を前記第１操作系情報から前記第２操作系情報に変更する請求項１から４のいずれか１項に記載の加熱調理器。
【請求項６】
前記制御部は、被加熱物の載置位置の温度に応じて、前記注意表示部に表示させる操作系情報を前記第１操作系情報から前記第２操作系情報に変更する請求項５に記載の加熱調理器。
【請求項７】
前記制御部は、前記加熱部の動作時間に応じて、前記注意表示部に表示させる操作系情報を前記第１操作系情報から前記第２操作系情報に変更する請求項５又は６に記載の加熱調理器。
【請求項８】
前記注意喚起情報は、被加熱物の載置位置の温度に対応した温度関連情報を含み、
前記制御部は、前記注意表示部に操作系情報が表示中であっても、前記載置位置の温度に応じて前記温度関連情報を当該操作系情報よりも優先的に前記注意表示部に表示させる請求項１から７のいずれか１項に記載の加熱調理器。
【請求項９】
前記注意喚起情報は、前記加熱部の動作時間に対応した調理時間関連情報を含み、
前記制御部は、前記注意表示部に操作系情報が表示中であっても、前記加熱部の動作時間に応じて前記調理時間関連情報を当該操作系情報よりも優先的に前記注意表示部に表示させる請求項１から８のいずれか１項に記載の加熱調理器。
【請求項１０】
前記制御部は、前記注意表示部の表示内容をスクロールさせることが可能であり、前記注意表示部に文字を表示させる場合に３ｍｍ以上の高さで当該文字を表示させる請求項１から９のいずれか１項に記載の加熱調理器。
【請求項１１】
前記注意喚起情報は、点検を促すための点検促進情報を含み、
前記制御部は、機器の使用期間に関連する値に応じて前記点検促進情報を前記注意表示部に表示させる請求項１から１０のいずれか１項に記載の加熱調理器。
【発明の詳細な説明】
【技術分野】
【０００１】
本発明は、加熱調理器に関するものである。
【背景技術】
【０００２】
下記特許文献１には、加熱調理器が記載されている。この加熱調理器は、調理に関する注意事項が表示された表示部を備えている。
【先行技術文献】
【特許文献】
【０００３】
【特許文献１】特開２０１０−２１８７３５号公報
【発明の概要】
【発明が解決しようとする課題】
【０００４】
特許文献１に記載の表示部は、特定の注意事項だけを簡潔に表示している。このため、特許文献１に記載の加熱調理器では、多様な表示項目を表示しつつ特定の表示項目を認識し易くすることができない。
【０００５】
本発明は、上記の課題を解決するためになされた。その目的は、多様な表示項目を表示しつつ特定の表示項目を認識し易くする加熱調理器を提供することである。
【課題を解決するための手段】
【０００６】
本発明に係る加熱調理器は、被加熱物を加熱する加熱部と、加熱部の動作を指定する入力操作を受け付ける操作部と、操作部への入力操作に対応した操作系情報を含む注意喚起情報を予め記憶している記憶部と、注意喚起情報が表示される注意表示部と、操作部への入力操作が行われた場合に加熱部を制御するとともに当該入力操作に対応した操作系情報を注意表示部に表示させる制御部と、を備え、記憶部に記憶されている操作系情報は、それぞれに重みが付けられた複数の表示項目を含み、制御部は、操作系情報を注意表示部に表示させる際に、当該操作系情報に含まれる表示項目の重みに基づいて特定の表示項目を強調するものである。
【発明の効果】
【０００７】
本発明において、制御部は、表示項目の重みに基づいて特定の表示項目を強調する。このため、本発明によれば、多様な表示項目を表示しつつ特定の表示項目を認識し易くすることができる。
【図面の簡単な説明】
【０００８】
【図１】本発明の実施の形態１における加熱調理器の一例を示す平面図である。
【図２】本発明の実施の形態１における注意喚起情報の一例を示す説明図である。
【図３】本発明の実施の形態１における注意喚起情報の表示フローの一例を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における加熱調理器の一例を示す平面図である。以下、図１を参照して、加熱調理器の構成を説明する。
【００１１】
図１に示すように、加熱調理器は、筐体１を備えている。筐体１の上面には、トッププレート２、電源ボタン３、操作部４及び通気口５が設けられている。電源ボタン３及び操作部４は、筐体１の前後方向において、トッププレート２よりも手前側に配置されている。電源ボタン３は、筐体１の右端付近に配置されている。操作部４は、左操作部４ａ、中央操作部４ｂ及び右操作部４ｃを備えている。中央操作部４ｂは、筐体１の左右方向において、中央付近に配置されている。左操作部４ａは、中央操作部４ｂよりも左側に配置されている。右操作部４ｃは、中央操作部４ｂよりも右側かつ電源ボタン３よりも左側に配置されている。操作部４は、例えば、揚げ物キー、グリルキー、あたためキー、火力キー、タイマーキー、左右ＩＨキー及びチャイルドロックキー等を備えている。通気口５は、筐体１の前後方向において、トッププレート２よりも奥側に形成されている。通気口５は、筐体１の上面において、左右の２箇所に形成されている。通気口５は、例えば、吸気口及び排気口である。筐体１の内部は、通気口５を介して外部と通じている。
【００１２】
トッププレート２には、載置位置標示６が設けられている。載置位置標示６は、図示しない左側標示、図示しない中央標示及び右側標示を備えている。載置位置標示６は、被加熱物７の載置位置及び載置領域を示す目印として設けられている。図１は、左側標示及び中央標示の上に被加熱物７が載置された状態を示している。被加熱物７は、例えば、なべ及びフライパン等である。
【００１３】
中央標示は、トッププレート２の左右方向において、中央付近に配置されている。左側標示は、中央標示よりも左側に配置されている。右側標示は、中央標示よりも右側に配置されている。左側標示及び右側標示は、トッププレート２の前後方向において、中央付近に配置されている。中央標示は、トッププレート２の前後方向において、左側標示及び右側標示よりも奥側に配置されている。中央標示が示す載置領域の面積は、左側標示が示す載置領域の面積及び右側標示が示す載置領域の面積よりも小さい。
【００１４】
トッププレート２には、注意書き８が設けられている。注意書き８は、トッププレート２の奥側の端部付近に配置されている。注意書き８は、トッププレート２の右端付近に配置されている。注意書き８には、加熱調理器の使用上の注意及び警告等の情報が記載されている。注意書き８には、例えば、１０個から２０個程度の文が記載されている。注意書き８の記載内容は、加熱調理器の取扱説明書に記載されている注意及び警告を示す情報の一部である。
【００１５】
トッププレート２は、操作表示部９、注意表示部１０、左表示部１１、右表示部１２及び図示しない高温注意ランプを備えている。操作表示部９及び注意表示部１０は、トッププレート２の左右方向において、中央付近に配置されている。操作表示部９及び注意表示部１０は、中央標示よりも手前側に配置されている。操作表示部９は、トッププレート２の手前側の端部付近に配置されている。注意表示部１０は、操作表示部９よりも奥側に配置されている。操作表示部９及び注意表示部１０は、前後に隣接するように配置されている。左表示部１１及び右表示部１２は、トッププレート２の手前側の端部付近に配置されている。左表示部１１は、トッププレート２の左端付近に配置されている。右表示部１２は、トッププレート２の右端付近に配置されている。操作表示部９、注意表示部１０、左表示部１１及び右表示部１２は、例えば、液晶画面等である。
【００１６】
加熱調理器は、図示しない電源ケーブル及びメインスイッチを備えている。加熱調理器は、図示しない加熱部、記憶部、制御部、なべ種類検知部、温度検知部及び時間検知部を筐体１の内部に備えている。加熱部は、例えば、ＩＨヒーター等である。加熱部は、トッププレート２上に載置された被加熱物７を加熱する加熱手段として設けられている。加熱部は、筐体１の内部において、載置位置標示６に対応した位置に配置されている。また、筐体１の内部には、加熱部とは異なる加熱手段として、図示しないグリル部が設けられている。
【００１７】
加熱調理器は、電源ケーブルがコンセントに接続された状態でメインスイッチを入れると、通電状態となる。加熱調理器は、通電状態で電源ボタン３がＯＮになると、動作可能な状態となる。なべ種類検知部は、トッププレート２上に載置された被加熱物７の材質及び大きさ等を「なべ種類」として検知する。操作部４は、加熱部及びグリル部等の動作を指定する入力操作を受け付ける。制御部は、操作部４への入力操作が行われた場合に、当該入力操作に基づいて加熱部及びグリル部を制御する。温度検知部は、トッププレート２上の被加熱物７の載置位置及びグリル部等の温度を検知する。
【００１８】
記憶部は、操作表示部９、注意表示部１０、左表示部１１及び右表示部１２に表示させるための情報等を予め記憶している。記憶部に予め記憶されている情報には、注意喚起情報が含まれている。注意喚起情報は、加熱調理器の使用上の注意及び警告等を示す情報である。注意喚起情報には、例えば、加熱調理器の取扱説明書に記載されている全ての注意及び警告が含まれている。
【００１９】
操作表示部９、注意表示部１０、左表示部１１及び右表示部１２には、記憶部に記憶されている情報等が表示される。操作表示部９には、例えば、加熱部の火力、グリル部の火力、調理メニュー等の情報が表示される。注意表示部１０には、注意喚起情報等が表示される。左表示部１１及び右表示部１２には、例えば、時間及び温度等の情報が表示される。
【００２０】
時間検知部は、加熱部の動作時間及びグリル部の動作時間を検知する。つまり、時間検知部は、調理時間を検知する。また、時間検知部は、加熱部の累積動作時間、グリル部の累積動作時間、加熱調理器の累積動作時間、加熱調理器の累積動作回数、加熱調理器の累積動作日数及び注意表示部１０への情報の累積表示回数等を検知する。つまり、時間検知部は、機器の使用期間に関連する値を検知する。
【００２１】
制御部は、電源ボタン３、操作部４、記憶部、なべ種類検知部、温度検知部及び時間検知部等から各種信号を取得する。制御部は、取得した各種信号に基づいて、記憶部に記憶されている情報等を操作表示部９、注意表示部１０、左表示部１１及び右表示部１２に表示させる。制御部は、温度検知部から取得した信号に応じて、高温注意ランプを点灯させる。制御部は、注意表示部１０の表示内容をスクロールさせることが可能である。制御部は、注意表示部１０に文字を表示させる場合には、例えば、３ｍｍ以上の高さで当該文字を表示させる。
【００２２】
図２は、実施の形態１における注意喚起情報の一例を示す説明図である。以下、図２を参照して、注意喚起情報について詳細に説明する。
【００２３】
注意喚起情報は、加熱調理器に対する操作内容及び加熱調理器の状態等に対応してグルーピングされている。注意喚起情報には、グループとして、操作系情報、検知系情報及び時系列系情報が含まれている。
【００２４】
操作系情報は、操作部４への入力操作のそれぞれに対応した注意及び警告等である。操作系情報は、例えば、「揚げ物操作」、「グリル操作」及び「あたため操作」等に対応して記憶されている。制御部は、操作部４への入力操作が行われた場合に、当該入力操作に対応した操作系情報を注意表示部１０に表示させる。
【００２５】
検知系情報には、なべ種類関連情報、温度関連情報、調理時間関連情報及び点検促進情報が含まれている。なべ種類関連情報は、なべ種類検知部により検知される「なべ種類」に対応した注意及び警告等である。なべ種類関連情報は、例えば、被加熱物７が加熱調理器で使用できない材質のなべ等であること等を示すメッセージである。温度関連情報は、温度検知部により検知される温度に対応した注意及び警告等である。温度関連情報は、例えば、トッププレート２が高温であること及び温度上昇速度が速いこと等を示すメッセージである。調理時間関連情報は、時間検知部により検知される調理時間に対応した注意及び警告等である。調理時間関連情報は、例えば、加熱部の動作時間が長いこと等を示すメッセージである。点検促進情報は、時間検知部により検知される機器の使用期間に関連する値に対応した情報である。点検促進情報は、例えば、加熱調理器の使用者に機器の点検を促すためのメッセージである。制御部は、なべ種類検知部、温度検知部及び時間検知部による検知結果に基づいて、検知系情報を注意表示部１０に表示させる。
【００２６】
検知系情報の少なくとも一部は、操作系情報の表示中に割り込んで表示されてもよい。例えば、制御部は、注意表示部１０に操作系情報が表示中であっても、被加熱物７の載置位置の温度に応じて温度関連情報を当該操作系情報よりも優先的に注意表示部１０に表示させることが可能である。また、例えば、制御部は、注意表示部１０に操作系情報が表示中であっても、加熱部の動作時間に応じて調理時間関連情報を当該操作系情報よりも優先的に注意表示部１０に表示させることが可能である。
【００２７】
時系列系情報は、例えば、加熱調理器が通電状態であるが調理中でない場合等に表示するための注意及び警告等である。制御部は、例えば、加熱調理器の動作前、電源ボタン３がＯＮになった際及び調理終了後等に時系列系情報を注意表示部１０に表示させる。
【００２８】
各操作系情報は、複数の表示項目を含んでいる。表示項目は、注意表示部１０に実際に表示される注意及び警告等を示すメッセージである。それぞれの表示項目には、予め設定された重みが付けられている。下記表１は、「揚げ物操作」に対応した操作系情報に含まれる表示項目の一例を示している。
【００２９】
【表１】
2015232926.tif 000003
【００３０】
表１に示す例では、表示項目の重みは、Ｓ、Ａ及びＢの３段階で設定されている。特に重要な表示項目には、重みＳが付けられている。重要な表示項目には、重みＡが付けられている。その他の表示項目には、重みＢが付けられている。複数の表示項目に同じ重みが付けられている場合は、各表示項目を区別するため、重みに小文字を付している。以下、例えば、重みＳが付けられた表示項目を「Ｓランク文」とも呼ぶ。表１に示す例では、「揚げ物操作」に対応した操作系情報には、１４個の文が含まれている。この１４個の文は、２つのＳランク文、３つのＡランク文及び９つのＢランク文からなる。
【００３１】
制御部は、注意表示部１０に表示させる表示項目を切り替えることで操作系情報を表示する。制御部は、操作系情報を注意表示部１０に表示させる際に、当該操作系情報に含まれる表示項目の重みに基づいて特定の表示項目を強調する。例えば、「揚げ物操作」が行われた場合、制御部は、表１に示す１４個の文を注意表示部１０に順次表示させていく。その際、制御部は、表１に示す重みに基づいて特定の文を強調する。なお、「揚げ物操作」とは異なる入力操作が行われない場合、制御部は、表１に示す１４個の文を繰り返し表示させる。
【００３２】
特定の表示項目を強調する第１の方法は、重みの低い表示項目よりも先に重みの高い表示項目を表示させることである。第１の方法によれば、Ｂランク文よりも先にＡランク文が表示される。また、Ａランク文よりも先にＳランク文が表示される。
【００３３】
特定の表示項目を強調する第２の方法は、重みの低い表示項目を表示させる頻度よりも重みの高い表示項目を表示させる頻度を高くすることである。第２の方法によれば、例えば、Ｓランク文はＢランク文の３倍の頻度で表示される。また、例えば、Ａランク文はＢランク文の２倍の頻度で表示される。
【００３４】
特定の表示項目を強調する第３の方法は、重みの低い表示項目の表示の継続時間よりも重みの高い表示項目の表示の継続時間を長くすることである。第３の方法によれば、例えば、Ｓランク文の表示の継続時間は、Ｂランク文の表示の継続時間の３倍となる。また、例えば、Ａランク文の表示の継続時間は、Ｂランク文の表示の継続時間の２倍となる。
【００３５】
第１の方法、第２の方法及び第３の方法を併用した場合、表１に示す表示項目は、例えば、以下の順序で表示される。なお、各表示項目は、表１における小文字を付した重みで示している。
Ｓａ→Ｓｂ→Ａａ→Ａｂ→Ａｃ→Ｂａ→Ｂｂ→Ｓａ→Ｓｂ→Ｂｃ→Ｂｄ→Ｂｅ→Ａａ→Ａｂ→Ａｃ→Ｓａ→Ｓｂ→Ｂｆ→Ｂｇ→Ｂｈ→Ｂｉ→
Ｓａ→Ｓｂ→Ａａ→Ａｂ→Ａｃ→Ｂａ→Ｂｂ→Ｓａ→Ｓｂ→Ｂｃ→Ｂｄ→Ｂｅ→Ａａ→Ａｂ→Ａｃ→Ｓａ→Ｓｂ→Ｂｆ→Ｂｇ→Ｂｈ→Ｂｉ→……
【００３６】
この場合、第１の方法により、最初のＳランク文が最初のＡランク文よりも先に表示される。また、第１の方法により最初のＡランク文が最初のＢランク文よりも先に表示される。第２の方法により、表１に示す１４個の文が全種類表示されるまでの間に計２１回の表示が行われる。この２１回の表示のうち、各Ｓランク文は３回表示され、各Ａランク文は２回表示される。一方、各Ｂランク文は、１回だけ表示される。つまり、Ｓランク文はＢランク文の３倍の頻度で表示される。また、Ａランク文はＢランク文の２倍の頻度で表示される。第３の方法により、Ｓランク文の表示の継続時間は、Ａランク文の表示の継続時間よりも長くなる。また、第３の方法により、Ａランク文の表示の継続時間は、Ｂランク文の表示の継続時間よりも長くなる。
【００３７】
なお、「揚げ物操作」に対応した操作系情報以外の各注意喚起情報も、「揚げ物操作」に対応した操作系情報と同様に設定されている。つまり、他の入力操作に対応した各操作系情報、各検知系情報及び各時系列系情報も、それぞれに重みが付けられた複数の表示項目を含んでいる。なお、同一の表示項目は、異なるグループに属する複数の注意喚起情報のそれぞれに含まれていてもよい。制御部は、各種信号に基づいて各注意喚起情報を注意表示部１０に表示させる際に、「揚げ物操作」に対応した操作系情報についての説明と同様にして、各注意喚起情報に含まれる表示項目の重みに基づいて特定の表示項目を強調する。
【００３８】
図３は、実施の形態１における注意喚起情報の表示フローの一例を示すフローチャートである。以下、図３を参照して、注意喚起情報の表示フローについて説明する。
【００３９】
使用者が電源ボタン３を押すと（ステップＳ１０１）、制御部は、各種信号を取得する（ステップＳ１０２）。制御部は、電源ボタン３がＯＮになった際の時系列系情報を注意表示部１０に表示させる（ステップＳ１０３）。また、制御部は、ステップＳ１０２で取得した各種信号に応じた注意喚起情報の表示も行う。制御部は、例えば、温度検知部によりトッププレート２が高温であることが検知された場合は、温度関連情報の表示を行う。この場合の温度関連情報は、例えば、「トッププレートの高温注意ランプが点灯中はトッププレート、その周辺の金属部分やなべに触れない」等のメッセージである。
【００４０】
使用者が調理を開始するために操作部４への入力操作を行うと（ステップＳ１０４）、制御部は、各種信号を取得する（ステップＳ１０５）。制御部は、ステップＳ１０４での入力操作に対応した操作系情報を注意表示部１０に表示させる（ステップＳ１０６）。例えば、使用者が揚げ物キーを押した場合は、制御部は、「揚げ物操作」に対応した操作系情報を注意表示部１０に表示させる。また、制御部は、ステップＳ１０５で取得した各種信号に応じた注意喚起情報の表示も行う。制御部は、例えば、なべ種類検知部により被加熱物７がＩＨ調理に不向きなアルミなべであることが検知された場合は、なべ種類関連情報の表示を行う。この場合のなべ種類関連情報は、例えば、「必ず当社専用の天ぷらなべを使用してください」等のメッセージである。
【００４１】
ステップＳ１０６に続いて、制御部は、調理が終了したか否かの判定を行う（ステップＳ１０７）。ステップＳ１０７での判定は、例えば、電源ボタン３又は操作部４からの信号に基づいて行われる。ステップＳ１０７で調理が終了していないと判定された場合、ステップＳ１０５から処理が繰り返される。調理中は、入力操作に対応した操作系情報及び各種信号に応じた注意喚起情報の表示が行われる。
【００４２】
ステップＳ１０７で調理が終了したと判定された場合、制御部は、各種信号を取得する（ステップＳ１０８）。制御部は、調理終了後の時系列系情報を注意表示部１０に表示させる（ステップＳ１０９）。また、制御部は、ステップＳ１０８で取得した各種信号に応じた注意喚起情報の表示も行う。
【００４３】
なお、異なるグループに属する複数の注意喚起情報に含まれる表示項目を表示する際は、重みの高いものから順に表示する。重みが同じ表示項目については、例えば、それぞれに予め設定した優先順位に従って表示する。
【００４４】
実施の形態１において、制御部は、操作系情報を注意表示部１０に表示させる際に、当該操作系情報に含まれる表示項目の重みに基づいて特定の表示項目を強調する。これにより、加熱調理器は、注意表示部１０に多様な表示項目を表示しつつ、特定の表示項目を認識し易くすることができる。このため、加熱調理器の使用上の注意及び警告等を示す情報を使用者に認識させやすくなる。その結果、加熱調理器の使用者の安全性及び利便性を向上することができる。
【００４５】
実施の形態１において、制御部は、第１の方法により、重みの低い表示項目よりも先に重みの高い表示項目を表示させる。制御部は、第２の方法により、重みの低い表示項目を表示させる頻度よりも重みの高い表示項目を表示させる頻度を高くする。制御部は、第３の方法により、重みの低い表示項目の表示の継続時間よりも重みの高い表示項目の表示の継続時間を長くする。第１の方法、第２の方法及び第３の方法のいずれを用いた場合であっても、特定の表示項目を強調することができる。さらに、第１の方法、第２の方法及び第３の方法のうち２つ又は３つを併用した場合は、特定の表示項目をさらに強調することができる。その結果、加熱調理器は、注意表示部１０に多様な表示項目を表示しつつ、特定の表示項目を認識し易くすることができる。
【００４６】
実施の形態１において、制御部は、検知系情報の少なくとも一部を、操作系情報の表示中に割り込んで表示させることが可能である。例えば、制御部は、注意表示部１０に操作系情報が表示中であっても、温度関連情報及び調理時間関連情報を優先的に注意表示部１０に表示させることが可能である。このため、例えば、トッププレート２が高温である場合及び加熱部が長時間動作している場合等には、その旨を速やかに表示することができる。その結果、加熱調理器の使用者の安全性及び利便性を向上することができる。
【００４７】
実施の形態１において、制御部は、注意表示部１０の表示内容をスクロールさせることができる。このため、表示項目が長いメッセージであっても、注意表示部１０に表示することができる。また、制御部は、注意表示部１０に３ｍｍ以上の高さで文字を表示させる。このため、より読みやすく表示項目を表示できる。その結果、加熱調理器の使用上の注意及び警告等を示す情報を使用者により認識させやすくなる。
【００４８】
実施の形態１において、制御部は、機器の使用期間に関連する値に応じて点検促進情報を注意表示部１０に表示させる。制御部は、例えば、機器の動作回数が５００回増加するごとに点検促進情報を表示させてもよい。制御部は、例えば、機器の動作日数が３６５日増加するごとに点検促進情報を表示させてもよい。制御部は、例えば、機器の動作時間が５００時間増加するごとに点検促進情報を表示させてもよい。制御部は、例えば、注意表示部１０への表示項目の表示数が５０００文増加するごとに点検促進情報を表示させてもよい。これにより、使用者に対して定期的に加熱調理器の点検を促すことができる。その結果、加熱調理器の使用者の安全性及び利便性を向上することができる。
【００４９】
実施の形態１において、注意喚起情報には、加熱調理器の取扱説明書に記載されている全ての注意及び警告が含まれている。このため、注意表示部１０には、トッププレート２の注意書き８に記載しきれない注意及び警告も表示できる。その結果、加熱調理器の使用者の安全性及び利便性を向上することができる。
【００５０】
本発明において、記憶部は、同一の入力操作に対応した第１操作系情報及び第２操作系情報を記憶していてもよい。この場合、第１操作系情報及び第２操作系情報は、複数の同じ表示項目を含んでいる。ただし、当該複数の表示項目のうち少なくとも１つは、第１操作系情報に含まれるものと第２操作系情報に含まれるものとで重みが異なっている。例えば、被加熱物７の温度が高い場合に強調すべき表示項目の重みは、第１操作系情報では低く、第２操作系情報では高く設定される。また、例えば、調理開始直後に強調すべき表示項目の重みは、第１操作系情報では高く、第２操作系情報では低く設定される。そして、制御部は、被加熱物７の載置位置の温度変化及び加熱部の動作時間の経過等に応じて、注意表示部１０に表示させる操作系情報を第１操作系情報から第２操作系情報に変更する。これにより、調理の進行状況に応じて、適切な注意及び警告を使用者に与えることができる。
【００５１】
本発明において、操作表示部９及び注意表示部１０は、一体に形成されていてもよい。制御部は、特定の表示項目を強調する際に、注意表示部１０の表示内容の表示色、バックライト色及び明るさを変えてもよい。また、制御部は、特定の表示項目を強調する際に、注意表示部１０を点滅させてもよい。これらの場合、特定の表示項目をより認識し易くすることができる。
【符号の説明】
【００５２】
１  筐体、２  トッププレート、３  電源ボタン、４  操作部、４ａ  左操作部、４ｂ  中央操作部、４ｃ  右操作部、５  通気口、６  載置位置標示、７  被加熱物、８  注意書き、９  操作表示部、１０  注意表示部、１１  左表示部、１２  右表示部
【図１】
2015232926.tif 000004
【図２】
2015232926.tif 000005
【図３】
2015232926.tif 000006